(57)【要約】【課題】本発明は、ユーザのイメージに対応させてユーザにとって検索しやすくデータを管理可能な情報処理装置および情報処理方法を提供する。【解決手段】ホームサーバＡは、ユーザによりコンテンツデータの閲覧が指示された場合、ユーザが以前にアクセスした際に選択した種類の地図情報（以前の選択がなければ当該ユーザが所望する種類の地図情報）を用いて、コンテンツデータの位置情報に対応する地図情報の位置や、スケジュール情報がポインタで指示されると、関連付けられたコンテンツデータの存在をユーザに知らせるよう合成情報を作成し、出力表示する。【選択図】  図７
2004234425.tif 000002
【特許請求の範囲】
【請求項１】
複数のコンテンツデータとその位置情報を記憶すると共に、当該装置に内蔵あるいは外部のデータベースに記憶されている複数の地図情報のうちユーザによって以前のアクセス時に選択された地図情報の種類に関する情報を記憶する記憶手段と、
外部からアクセス要求に関するデータを受信するとこのアクセス要求に関するデータに基づいて前記アクセスしてきたユーザを判別する判別手段と、
前記記憶手段に記憶された前記判別されたユーザによって以前選択された地図情報の種類に関する情報に基づいて、当該装置に内蔵あるいは外部のデータベースから地図情報を取得する取得手段と、
この取得手段で取得された地図情報に前記コンテンツデータの位置情報を関連付けて外部へ出力する出力手段と、
を有することを特徴とする情報処理装置。
【請求項２】
前記出力手段は、前記取得手段によって複数の地図情報の中から路線図に関する地図情報が取得された場合、前記取得された路線図に関する地図情報の駅を示す部位に前記コンテンツデータの位置情報を関連付けて外部へ出力することを特徴とする請求項１記載の情報処理装置。
【請求項３】
前記記憶手段は、ユーザのスケジュール情報を前記コンテンツデータと関連付けて記憶しており、
前記出力手段は、前記取得手段で取得された地図情報に前記コンテンツデータの位置情報を関連付けて、対応するスケジュール情報と共に外部へ出力することを特徴とする請求項１記載の情報処理装置。
【請求項４】
前記記憶手段は、前記コンテンツデータの位置情報として郵便番号情報を記憶していることを特徴とする請求項１乃至請求項３のいずれか記載の情報処理装置。
【請求項５】
複数のコンテンツデータとその位置情報を記憶すると共に、当該装置に内蔵あるいは外部のデータベースに記憶されている複数の地図情報のうちユーザによって以前のアクセス時に選択された地図情報の種類に関する情報を記憶する記憶手段を有し、外部からの指示に応じて前記記憶手段に記憶されている情報の出力制御を行う情報処理装置における情報処理方法において、
外部からアクセス要求に関するデータを受信するとこのアクセス要求に関するデータに基づいて前記アクセスしてきたユーザを判別するステップと、
前記記憶手段に記憶された前記判別されたユーザによって以前選択された地図情報の種類に関する情報に基づいて、当該装置に内蔵あるいは外部のデータベースから地図情報を取得するステップと、
この取得ステップで取得された地図情報に前記コンテンツデータの位置情報を関連付けて外部へ出力するステップと、
を有することを特徴とする情報処理方法。
【請求項６】
前記出力ステップは、前記取得ステップによって複数の地図情報の中から路線図に関する地図情報が取得された場合、前記取得された路線図に関する地図情報の駅を示す部位に前記コンテンツデータの位置情報を関連付けて外部へ出力することを特徴とする請求項５記載の情報処理方法。
【請求項７】
前記記憶手段は、更にユーザのスケジュール情報を前記コンテンツデータと関連付けて記憶しており、
前記出力ステップは、前記取得された地図情報に前記コンテンツデータの位置情報を関連付けて、対応するスケジュール情報と共に外部へ出力することを特徴とする請求項５記載の情報処理方法。
【発明の詳細な説明】
【０００１】
【発明の属する技術分野】
本発明は、複数のユーザがアクセス可能で、特に登録された複数のデータをユーザが円滑に閲覧できる情報処理装置および情報処理方法に関する。
【０００２】
【従来の技術】
近年、デジタル化された画像や音声、動画等のデータは、コンピュータのファイルシステムやデータベース管理システムや専用のソフトウェアを使って管理することが多く、必要なデータを検索しやすくなるよう様々な工夫がなされてきた。
【０００３】
例えば、このような従来の装置として、特開２００１−２８２８１３号公報には、自動的に付される時刻情報や位置情報を用いてマルチメディアデータを管理／検索することによって、予めマルチメディアデータを分類したり、キーワードを付けたりする煩雑な作業を不要とした検索装置および方法が開示されている。（例えば特許文献１参照）
【０００４】
【特許文献１】
特開２００１−２８２８１３号公報
【０００５】
【発明が解決しようとする課題】
しかしながら、従来の装置では、自動的に付与された時間や位置の情報を用いてデータ管理／検索を行うので登録時に煩雑な作業が不要となるかもしれないが、データ量が増えたり、ある程度の時間が経過してしまうと、自動付与された情報と、ユーザのスケジュール情報や連想するイメージやキーワードとが一致しなくなり、ユーザによる閲覧・検索を容易に行えず時間がかかる恐れがあるという欠点がある。
【０００６】
本発明は、以上の点に鑑みなされたもので、ユーザのイメージに対応させてユーザにとって検索しやすくデータを管理可能な情報処理装置および情報処理方法を提供することを目的とする。
【０００７】
【課題を解決するための手段】
上記目的を達成するために、本発明の情報処理装置は、複数のコンテンツデータとその位置情報を記憶すると共に、当該装置に内蔵あるいは外部のデータベースに記憶されている複数の地図情報のうちユーザによって以前のアクセス時に選択された地図情報の種類に関する情報を記憶する記憶手段と、外部からアクセス要求に関するデータを受信するとこのアクセス要求に関するデータに基づいて前記アクセスしてきたユーザを判別する判別手段と、前記記憶手段に記憶された前記判別されたユーザによって以前選択された地図情報の種類に関する情報に基づいて、当該装置に内蔵あるいは外部のデータベースから地図情報を取得する取得手段と、この取得手段で取得された地図情報に前記コンテンツデータの位置情報を関連付けて外部へ出力する出力手段と、を有することを特徴とする。
【０００８】
上記目的を達成するために、本発明の情報処理方法は、複数のコンテンツデータとその位置情報を記憶すると共に、当該装置に内蔵あるいは外部のデータベースに記憶されている複数の地図情報のうちユーザによって以前のアクセス時に選択された地図情報の種類に関する情報を記憶する記憶手段を有し、外部からの指示に応じて前記記憶手段に記憶されている情報の出力制御を行う情報処理装置における情報処理方法において、外部からアクセス要求に関するデータを受信するとこのアクセス要求に関するデータに基づいて前記アクセスしてきたユーザを判別するステップと、前記記憶手段に記憶された前記判別されたユーザによって以前選択された地図情報の種類に関する情報に基づいて、当該装置に内蔵あるいは外部のデータベースから地図情報を取得するステップと、この取得ステップで取得された地図情報に前記コンテンツデータの位置情報を関連付けて外部へ出力するステップと、を有することを特徴とする。
【０００９】
【発明の実施の形態】
以下、図面を参照して本発明に係る実施の形態について詳細に説明する。図１は、本発明の実施の形態における情報処理装置としてのホームサーバＡを用いた構成を示すシステムブロック図である。
【００１０】
図１に示すように、本システムは、ホームサーバＡと、キーボード部Ｂ１やＧＰＳ搭載記録装置Ｂ２からなる外部入力装置Ｂと、外部表示装置Ｃとから構成されている。
【００１１】
外部入力装置Ｂとしてのキーボード部Ｂ１は、ホームサーバＡに対して各種情報を入力するもので、キーボードやマウス、リモコンなどの操作機器全般を示す。ＧＰＳ搭載記録装置Ｂ２は、例えばＧＰＳ（Ｇｌｏｂａｌ  Ｐｏｓｉｔｉｏｎｉｎｇ  Ｓｙｓｔｅｍ）機能を搭載した携帯電話等、画像・音声・映像の情報とともにその情報が記録された際の位置情報を記録する装置である。
【００１２】
図１に示すホームサーバＡは、入力部１０、制御部１１、地域情報データベース１２、データベース１３、出力部１４等から構成されている。
【００１３】
入力部１０は、外部入力装置Ｂより送信された制御信号、ユーザのＩＤ情報やスケジュール情報、映像・音声等のデジタルあるいはアナログ信号を受信する。制御部１１は、入力部１０、地域情報データベース１２、データベース１３および出力部１４と接続しており、ホームサーバＡ全体の動作を制御する。出力部１４は、制御部１１によって地域情報データベース１２および／またはデータベース１３から読み出された各種情報を外部の表示装置Ｃへ出力する。
【００１４】
また制御部１１は、入力部１０から入力されたユーザの指示を示す制御信号に基づいて、必要に応じて地域情報データベース１２やデータベース１３にアクセスして情報を読み出し、必要に応じて後述する各種情報の合成等の処理を施し、出力部１４を介して外部へ出力するよう制御する。
【００１５】
地域情報データベース１２は、種々の表記方法からなる複数の地図情報や、郵便番号情報等を記憶している。本実施例では、地域情報データベース１２は、図２に示すように、詳細地図情報１２ａ、絵地図情報１２ｂ、路線図情報１２ｃ、・・・を記憶している。
【００１６】
詳細地図情報１２ａは、具体的かつ詳細に記述された地図情報である。絵地図情報１２ｂは、代表的な対象物が簡略的・模式的に記述された地図情報である。路線図情報１２ｃは、鉄道の路線図に基づいて鉄道の駅名や路線名を中心に記述された地図情報である。
【００１７】
そして、入力部１０を介して入力された制御情報に基づいて、制御部１１によってこの地域情報データベース１２のうちのいずれかの地図情報が読み出される。
【００１８】
本実施例では、地域情報データベース１２はホームサーバＡに内蔵されているが、これに限らず、インターネット回線や無線通信を介して外部のデータベースから適宜地図情報を受信するよう構成しても良い。
【００１９】
データベース１３は、入力部１０を介して入力された映像・音声情報や、ホームサーバＡにアクセス可能な複数のユーザに関する情報を記憶している。本実施例では、データベース１３は、ユーザに関する情報として、図３に示すユーザ情報テーブル１３ａと、図４に示すスケジュール情報テーブル１３ｂと、図示せぬコンテンツデータ格納部とを有している。
【００２０】
図３に示すユーザ情報テーブル１３ａは、ホームサーバＡにアクセス可能なユーザａ、ｂ、ｃ、・・・毎に、そのユーザのＩＤ情報と、以前に所望（選択）した地図情報の種類を示す情報等が格納されている。
【００２１】
図４に示すスケジュール情報テーブル１３ｂは、日付情報１３１、イベント情報１３２、時刻情報１３３、場所情報１３４、座標情報１３５、関連ファイル１３６等からなる項目に従って、ホームサーバＡにアクセスするユーザａ、ｂ、ｃ、・・・毎に、ユーザのスケジュール情報が登録されている。
【００２２】
即ち、本実施例では、後述する方法によって、ユーザによって日付情報１３１として「１０月１日」、イベント情報１３２として「運動会」、時刻情報１３３として「１０時から１６時」、場所情報１３４として「Ｘ小学校」が登録される。
【００２３】
この場所情報１３４の登録情報に伴って、制御部１１は地域情報データベース１２にアクセスし、自動的にＸ小学校の座標情報（あるいは郵便番号情報でも良い）を割り出し、ユーザのスケジュール情報に含めて登録される。ここで座標情報１３５は、経度と緯度からなる一定の範囲（例えば「Ｘ１−Ｘ２：Ｙ１−Ｙ２」）を割り出すようにしている。
【００２４】
尚、スケジュール情報における位置に関する情報は座標情報に限らず、スケジュール情報テーブル１３ｂの座標情報１３５の代わりに、あるいは座標情報１３５に加えて、郵便番号情報１３７の項目を用いて、場所情報１３４の登録情報に伴って自動的に郵便番号情報を抽出するようにしても良い。
【００２５】
また、後述する方法によって、このように登録されているスケジュール情報に対して、コンテンツデータを関連付けて登録することができる。即ち、上記「運動会」というスケジュールに対して、関連ファイル１３６として「コンテンツデータＡ、Ｂ、Ｃ」の３つのデータが関連付けて登録されている。
【００２６】
そして、関連ファイル１３６に登録されたコンテンツデータＡ、Ｂ、Ｃ・・・は、付随情報と共に、データベース１３の他の領域に一括して格納される。これらのコンテンツデータは、例えば、運動会で撮影した写真画像や映像といったものである。
【００２７】
本実施例では、関連ファイル１３６に登録されたコンテンツデータの位置情報は、対応するスケジュール情報の場所情報１３４あるいは座標情報１３５を、以降の処理時に準用するようになっているが、これに限らず、コンテンツデータと共に記憶される付随情報にコンテンツデータ特有の位置情報を別途格納しても良い。このコンテンツデータ特有の位置情報は、例えばＧＰＳ機能を搭載した携帯電話でコンテンツデータを作成した際に、付与された位置情報などを言う。
【００２８】
同様に、スケジュール情報１３ｂには、日付情報１３１として「１１月５日」、イベント情報１３２として「遠足」、時刻情報１３３として「８時から１６時」、場所情報１３４として「Ｙ公園」、対応する座標情報１３５として「Ｘ３−Ｘ４：Ｙ３−Ｙ４」）、関連ファイル１３６として「コンテンツデータＤ、Ｅ」が登録されている。
【００２９】
次に図５に示すフローチャート図を用いて、ホームサーバＡにおけるユーザによるスケジュールの登録処理について説明する。
【００３０】
ユーザがスケジュール登録を実行するため、外部の入力装置Ｂを用いて、ホームサーバＡに対してスケジュール登録要求およびユーザＩＤ情報を送信する。
【００３１】
ホームサーバＡの制御部１１は、入力部１０を介してユーザＩＤ情報およびスケジュール登録要求を受信すると（ＳＴ１１）、データベース１３のユーザ情報テーブル１３ａを参照し、受信したユーザＩＤ情報が登録されているか確認する（ＳＴ１２）。
【００３２】
ＳＴ１２によりユーザ情報テーブル１３ａに登録されているユーザであると判断すると、次に制御部１１は、データベース１３にアクセスし、スケジュール情報テーブル１３ｂから判別したユーザのスケジュール情報を読み出し、出力部１４を介して外部の表示装置Ｃに出力する（ＳＴ１３）。
【００３３】
ここで、ユーザは、表示装置Ｃの表示内容に従って、登録したいスケジュールの詳細情報（例えば日付、イベント名称、時刻、場所等の情報）を外部入力装置Ｂを用いて入力するようになっている。
【００３４】
ＳＴ１３によるスケジュール情報の表示を受けて、外部の入力装置Ｂを介してホームサーバＡの入力部１０に新たなスケジュール情報の追加情報が受信される（ＳＴ１４）。このスケジュール情報の追加情報には、スケジュール情報テーブル１３ｂの各種項目に対応して、例えば日付、イベント名称、時刻、場所等の情報が含まれている。
【００３５】
制御部１１は、ＳＴ１４で受信した追加情報に含まれる場所情報に基づいて、地域情報データベース１２にアクセスし、場所情報に対応する座標情報を割り出す（ＳＴ１５）。
【００３６】
そして、制御部１１は、データベース１３にアクセスし、スケジュール情報テーブル１３ｂに、ＳＴ１４で受信したスケジュール情報と、ＳＴ１５で割り出した座標情報とを登録する（ＳＴ１６）。
【００３７】
この後、スケジュール情報の更なる追加がある場合には（ＳＴ１７のＹｅｓ）、ＳＴ１４へと進み、更なる追加がない場合には（ＳＴ１７のＮｏ）、本処理を終了するようになっている。このようにして、図４に示すスケジュール情報テーブル１３ｂの日付情報１３１から座標情報１３５までの各項目に情報が登録される。
【００３８】
この際、関連ファイル１３６の項目には、ＳＴ１４で関連するコンテンツデータがともに受信された場合にのみ他の情報と同様に登録される。また、ＳＴ１４で関連するコンテンツデータが受信されなかった場合には、この段階では何も登録されないが、後述する図６に示す処理によってコンテンツデータをスケジュール情報に関連させて登録することができる。
【００３９】
次に、図６に示すフローチャート図を用いて、ホームサーバＡにおけるユーザによるコンテンツデータの登録処理について説明する。
【００４０】
ユーザがコンテンツデータの登録を実行するため、外部の入力装置Ｂを用いて、ホームサーバＡに対してコンテンツデータの登録要求およびユーザＩＤ情報を送信する。
【００４１】
ホームサーバＡの制御部１１は、入力部１０を介してユーザＩＤ情報およびコンテンツデータの登録要求を受信すると（ＳＴ２１）、データベース１３のユーザ情報テーブル１３ａを参照し、受信したユーザＩＤ情報が登録されているか確認する（ＳＴ２２）。
【００４２】
ＳＴ２２によりユーザ情報テーブル１３ａに登録されているユーザであると判断すると、次に制御部１１は、データベース１３にアクセスし、スケジュール情報テーブル１３ｂから判別したユーザのスケジュール情報を読み出し、出力部１４を介して外部の表示装置Ｃに出力する（ＳＴ２３）。
【００４３】
ここで、ユーザは、表示装置Ｃに表示されたスケジュール情報の中から、登録するコンテンツデータに対応するスケジュール情報を外部入力装置Ｂを用いて選択するようになっている。
【００４４】
ＳＴ２３によるスケジュール情報の表示を受けて、外部の入力装置Ｂを介してホームサーバＡの入力部１０にコンテンツデータの登録情報が受信される（ＳＴ２４）。このコンテンツデータの登録情報には、登録するコンテンツデータと、このコンテンツデータが対応すると選択されたユーザのスケジュール情報とが含まれている。
【００４５】
制御部１１は、データベース１３にアクセスし、ＳＴ２４で受信したコンテンツデータを記憶すると共に、ＳＴ２４で受信した登録情報に含まれるスケジュール情報の関連ファイル１３６の項目にこのコンテンツデータの識別情報を記憶して、関連付けする（ＳＴ２５）。
【００４６】
この後、コンテンツデータの更なる登録がある場合には（ＳＴ２６のＹｅｓ）、ＳＴ２４へと進み、更なる登録がない場合には（ＳＴ２６のＮｏ）、本処理を終了するようになっている。このようにして、図４に示すスケジュール情報テーブル１３ｂの関連ファイル１３６項目にコンテンツデータの識別情報が登録され、コンテンツデータをスケジュール情報に関連させて登録することができる。
【００４７】
次に、図７に示すフローチャート図を用いて、ホームサーバＡにおけるユーザによるコンテンツデータの検索処理について説明する。
【００４８】
ユーザがコンテンツデータの検索を実行するため、外部の入力装置Ｂを用いて、ホームサーバＡに対してコンテンツデータの閲覧要求およびユーザＩＤ情報を送信する。
【００４９】
ホームサーバＡの制御部１１は、入力部１０を介してユーザＩＤ情報およびコンテンツデータの閲覧要求を受信すると（ＳＴ３１）、データベース１３のユーザ情報テーブル１３ａを参照し、受信したユーザＩＤ情報が登録されているか確認する。
【００５０】
また、ユーザ情報テーブル１３ａに登録されているユーザであると判断すると、次に制御部１１は、ユーザ情報テーブル１３ａの該当するユーザＩＤ情報に対応して、以前に選択された地図情報の種類が格納されているか判別する（ＳＴ３２）。
【００５１】
ＳＴ３２の判別の結果、地図情報の種類が格納されていないと判別された場合（ＳＴ３３のＹｅｓ）、制御部１１は、地域情報データベース１２にアクセスし、表示可能な地図情報の種類を読み出し、出力部１４を介して外部の表示装置Ｃに出力する（ＳＴ３４）。
【００５２】
ここで、ユーザは、表示装置Ｃに表示された地図情報の中から、希望する地図情報の種類を外部入力装置Ｂを用いて選択するようになっている。ＳＴ３４による地図情報の種類の表示を受けて、外部の入力装置Ｂを介してホームサーバＡの入力部１０にユーザが選択した地図情報の種類情報が受信される（ＳＴ３５）。
【００５３】
ＳＴ３５にて地図情報の種類情報が受信された場合、あるいはＳＴ３２により以前選択された地図情報の種類が格納されていると判別された場合（ＳＴ３３のＮｏ）、制御部１１は、地域情報データベース１２にアクセスし、この種類に対応した地図情報を読み出す。また、制御部１１は、データベース１３にアクセスし、スケジュール情報テーブル１３ｂから判別したユーザのスケジュール情報を読み出す。
【００５４】
そして、制御部１１は、データベース１３から読み出した当該ユーザのスケジュール情報に基づいて、地域情報データベース１２から読み出した当該ユーザが所望する地図情報にコンテンツデータを関連付けた合成情報を作成する（ＳＴ３６）。
【００５５】
例えば、データベース１３から読み出した当該ユーザのスケジュール情報の座標情報１３５（あるいはコンテンツデータの位置情報）と、地域情報データベース１２から読み出した当該ユーザが所望する地図情報とを用いて、座標情報１３５に対応する地図情報の位置や、対応するスケジュール情報がポインタ等の指示部２０で指示されることにより、コンテンツデータの存在をユーザに知らせるよう合成情報を作成する。
【００５６】
そして、制御部１１は、出力部１４を介して、地図情報とスケジュール情報との合成情報を、外部の表示装置Ｃに出力する（ＳＴ３７〜ＳＴ４０）。
【００５７】
例えば、ＳＴ３５にて絵地図情報が選択された場合、あるいはＳＴ３２により絵地図情報が格納されていると判別された場合、制御部１１は、絵地図情報１２ｂとスケジュール情報／コンテンツデータとを合成した合成情報を、出力部１４を介して表示装置Ｃに出力する。その結果、表示装置Ｃにおいては、例えば図８に示す表示画面のように、合成情報を表示するようになる（ＳＴ３９）。
【００５８】
また、ＳＴ３５にて路線図情報が選択された場合、あるいはＳＴ３２により路線図情報が格納されていると判別された場合、制御部１１は、路線図情報１２ｃとスケジュール情報／コンテンツデータとを合成した合成情報を、出力部１４を介して表示装置Ｃに出力する。その結果、表示装置Ｃにおいては、例えば図９に示す表示画面のように、合成情報を表示するようになる（ＳＴ４０）。
【００５９】
また、ＳＴ３５にて詳細地図情報が選択された場合、あるいはＳＴ３２により詳細地図情報が格納されていると判別された場合、制御部１１は、詳細地図情報１２ａとスケジュール情報／コンテンツデータとを合成した合成情報を、出力部１４を介して表示装置Ｃに出力する。その結果、表示装置Ｃにおいては、例えば図８及び図９に示す表示画面の地図部分がより詳細かつ具体的な地図に替わった合成情報を表示するようになる。（ＳＴ３８）。
【００６０】
本実施例では、ＳＴ３６で作成された合成情報は、図８及び図９に示すように、例えば地図部分３０とスケジュール部分４０とを有している。
【００６１】
尚、スケジュール部分４０は、日付情報１３１とイベント情報１３２と関連ファイル１３６とが表示されている。尚、スケジュール部分４０において、日付情報１３１やイベント情報１３２が指示部２０で指示した際に関連ファイル１３６の内容を表示するようにしても良い。
【００６２】
地図部分３０は、絵地図情報１２ｂを用いた図８の合成情報においては、例えばＸ小学校３１やＹ公園３２や駅３３等の目印となる対象物が模式的に表記されている。また、路線図情報１２ｃを用いた図９の合成情報においては、例えば代表的な路線図や駅名が模式的あるいは具体的に表記されている。
【００６３】
表示装置Ｃに表示された地図部分３０において、ユーザが外部入力装置Ｂを用いてポインタ等の指示部２０を移動させ、コンテンツデータの座標情報に対応する地図情報の位置を指示すると、コンテンツデータの存在をユーザに知らせるためのお知らせ表示部５１が表示されるようになっている。
【００６４】
そして、このお知らせ表示部５１の所望するコンテンツデータ名を指示部２０で指示することにより、コンテンツデータの内容を表示するようにしても良い。
【００６５】
上述するように、本実施例では、ユーザが以前にアクセスした際に選択した地図情報の種類に関する情報を記憶しており、ユーザによるデータ閲覧時には、ユーザの希望する種類の地図情報に関連付けて、ユーザのイメージやスケジュール情報に沿ってコンテンツデータの閲覧ができるようにしている。
【００６６】
特に、ユーザの希望する種類の地図情報において、スケジュール情報に関連する部位がユーザによって指示されると、このスケジュール情報に関連付けされたコンテンツデータの存在を知らせるように合成情報を作成し、出力制御するようになっている。
【００６７】
従って、ユーザのスケジュール情報（行動パターン）や、ユーザの連想するイメージ・キーワードと連動してスムーズにデータ管理／閲覧／検索することが可能となる。
【００６８】
【発明の効果】
以上説明したように、本発明によれば、ユーザのイメージに対応させてユーザにとって検索しやすくデータを管理できる。
【図面の簡単な説明】
【図１】本発明の情報処理装置としてのホームサーバＡを用いた構成を示すシステムブロック図。
【図２】地域情報データベース１２に格納されている地図情報のテーブルを説明する図。
【図３】データベース１３に格納されているユーザ情報テーブル１３ａを説明する図。
【図４】データベース１３に格納されているスケジュール情報テーブル１３ｂを説明する図。
【図５】ホームサーバＡにおけるユーザによるスケジュールの登録処理について説明するフローチャート図。
【図６】ホームサーバＡにおけるユーザによるコンテンツデータの登録処理について説明するフローチャート図。
【図７】ホームサーバＡにおけるユーザによるコンテンツデータの閲覧処理について説明するフローチャート図。
【図８】表示装置Ｃにおいて絵地図情報１２ｂとスケジュール情報との合成情報を表示した表示画面を示す図。
【図９】表示装置Ｃにおいて路線図情報１２ｃとスケジュール情報との合成情報を表示した表示画面を示す図。
【符号の説明】
Ａ    ホームサーバ
Ｂ    入力装置
Ｃ    表示装置
１１    制御部
１２    地域情報データベース
１２ａ    詳細地図情報
１２ｂ    絵地図情報
１２ｃ    路線図情報
１３    データベース
１３ａ    ユーザ情報テーブル
１３ｂ    スケジュール情報テーブル
２０    指示部
【図１】
2004234425.tif 000003
【図２】
2004234425.tif 000004
【図３】
2004234425.tif 000005
【図４】
2004234425.tif 000006
【図５】
2004234425.tif 000007
【図６】
2004234425.tif 000008
【図７】
2004234425.tif 000009
【図８】
2004234425.tif 000010
【図９】
2004234425.tif 000011